(57)【要約】  室内機（１）は、熱交換器（５０）と電気品箱（７０）が設けられる背面筐体（１０）と、熱交換器の前面側に着脱可能に設けられる前面筐体（２０）と、前面筐体の前面側に着脱可能に設けられる正面意匠パネル（３０）と、通信アダプター（１５０）が固定される固定収納部（２１）と、通信アダプターの仮置き部（１１０）とを備える。固定収納部は、前面筐体に設けられ、正面意匠パネルが取り外された状態において露出するよう設けられている。仮置き部は、通信アダプターを仮置きするためのものである。
2020157850.tif 000002
【特許請求の範囲】
【請求項１】
熱交換器と電気品箱が設けられる背面筐体と、  前記熱交換器の前面側において、前記背面筐体に着脱可能に設けられる前面筐体と、  前記前面筐体の前面側において、前記前面筐体に着脱可能に設けられる正面意匠パネルと、  前記前面筐体に設けられ、外部機器との通信を行うための通信アダプターが固定され、前記正面意匠パネルが取り外された状態において露出するよう設けられている固定収納部と、  前記通信アダプターを仮置きするための仮置き部とを備える空気調和機の室内機。
【請求項２】
前記仮置き部は、前記熱交換器の前記電気品箱が設けられている側の端部と前記電気品箱との間に設けられ、前記前面筐体には、前記仮置き部に対面する位置に開口部が形成されている請求項１に記載の空気調和機の室内機。
【請求項３】
前記熱交換器の端部から露出している伝熱管に発生する水滴が前記室内機の前方側へ飛散することを防止する露飛び防止部材を備え、  前記露飛び防止部材は、前記熱交換器の前記電気品箱が設けられている側の端部と前記電気品箱との間に配置され、  前記仮置き部は、前記露飛び防止部材の前面に設けられている請求項２に記載の空気調和機の室内機。
【請求項４】
前記開口部を覆う取り外し可能なカバーを備えている請求項２又は３に記載の空気調和機の室内機。
【請求項５】
前記固定収納部は、前記前面筐体において、前記露飛び防止部材の上方に設けられている請求項３に記載の空気調和機の室内機。
【請求項６】
前記通信アダプターと、  前記通信アダプターに接続された通信ケーブルと、  前記前面筐体において、前記固定収納部に固定された前記通信アダプターと前記電気品箱との間の前記通信ケーブルの引き回しの経路上に設けられているバンド位置維持部とを備え、  前記通信アダプターから前記電気品箱へ引き回されている前記通信ケーブルにおいて結束バンドが取り付けられており、  前記通信アダプターが前記固定収納部に固定された状態で、前記結束バンドが前記バンド位置維持部に収納されている請求項３〜５のいずれか一項に記載の空気調和機の室内機。
【発明の詳細な説明】
【技術分野】
【０００１】  本発明は、空気調和機の室内機の通信アダプターの支持構造に関するものである。
【背景技術】
【０００２】  従来、無線通信の通信アダプターを内蔵した空気調和機の室内機がある。通信アダプターは、電気品箱に設けられた制御部にケーブルで接続されている。通信アダプターを介して外部機器と通信を行うことにより、室内機の遠隔操作が行われる。特許文献１に記載の室内機は、前面グリルの前面部に、前方が開口した箱状の収納部が設けられている。収納部は電気品箱の近傍に配置されている。通信アダプターはこの収納部に収納されるようになっている。通信アダプターには、ハーネス、すなわち通信ケーブルが接続されており、通信ケーブルは、電気品箱のサービス蓋に形成された開口を介して、電気品箱の内部へ引き回されており、電気品箱の内部に実装された制御基板に接続されている。
【先行技術文献】
【特許文献】
【０００３】
【特許文献１】特開２０１６−１２１８３３号公報
【発明の概要】
【発明が解決しようとする課題】
【０００４】  特許文献１に記載の室内機において、通信アダプターの収納部は電気品箱に隣接するように設けられ、かつ、通信ケーブルは、サービス蓋の開口の外周縁部により移動が規制されている。そのため、ユーザやサービスマンは、メンテナンス時、収納部に収納された通信アダプターを取り外した後、通信ケーブルに引っ張られて、通信アダプターを自由に手に取ることができない。従って、通信アダプターの外面に記載されている情報の確認、及び通信アダプターの設定が困難であり、作業性の改善が求められている。一方、ユーザやサービスマンが通信アダプターを収納部から取り外して自由に手に取ることができるように、通信ケーブルを長めにすることが考えられる。しかしながら、通信ケーブルを長くすると、室内機の組み立て時及び室内機のメンテナンス時、通信ケーブルの長さに起因して通信アダプターがぶらつくことになり、組立作業性が低下することとなる。【０００５】  本発明は、上記のような課題を解決するためになされたものであり、通信アダプターが内蔵されている空気調和機の室内機であって、組立作業性を向上させた室内機を提供することを目的とする。
【課題を解決するための手段】
【０００６】  本発明に係る空気調和機の室内機は、熱交換器と電気品箱が設けられる背面筐体と、前記熱交換器の前面側において、前記背面筐体に着脱可能に設けられる前面筐体と、前記前面筐体の前面側において、前記前面筐体に着脱可能に設けられる正面意匠パネルと、前記前面筐体に設けられ、外部機器との通信を行うための通信アダプターが固定され、前記正面意匠パネルが取り外された状態において露出するよう設けられている固定収納部と、前記通信アダプターを仮置きするための仮置き部とを備えるものである。
【発明の効果】
【０００７】  本発明に係る空気調和機の室内機によると、室内機の組み立て時、及びメンテナンス時、固定収納部から取り外した通信アダプターを仮置き部に一時的に設置することができる。従って、ユーザ及びサービスマンが通信アダプターを固定収納部から取り外した際、通信アダプターを手にとって自由に作業できるよう通信ケーブルを長く設定しても、作業時に通信ケーブルの長さに起因して通信アダプターがぶらつくことがない。その結果、室内機の組み立て時及びメンテナンス時の作業性を向上させることができる。
【図面の簡単な説明】
【０００８】
【図１】本発明の実施の形態に係る空気調和機の室内機の分解斜視図である。
【図２】本発明の実施の形態に係る空気調和機の室内機の断面図である。
【図３】本発明の実施の形態に係る空気調和機の室内機の右端部を示す斜視図である。
【図４】本発明の実施の形態に係る空気調和機の室内機の右端部を示す斜視図である。
【図５】本発明の実施の形態における熱交換器の右端部の構成を拡大して示す分解斜視図である。
【図６】本発明の実施の形態における通信アダプターの斜視図である。
【図７】本発明の実施の形態における通信アダプターの斜視図である。
【図８】本発明の実施の形態に係る露飛び防止部材の正面図である。
【図９】本発明の実施の形態に係る露飛び防止部材を右斜め上から示す斜視図である。
【図１０】本発明の実施の形態に係る露飛び防止部材を左斜め上から示す斜視図である。
【図１１】本発明の実施の形態に係る通信アダプターを固定する固定収納部を右斜め上から示す斜視図である。
【図１２】本発明の実施の形態に係る通信アダプターを固定する固定収納部を左斜め上から示す斜視図である。
【図１３】本実施の形態に係る室内機の前面筐体の上右端部を拡大して示す図である。
【図１４】本実施の形態に係る室内機の前面筐体の上右端部を拡大して示す図である。
【図１５】本実施の形態に係るバンド位置維持部を拡大して示す斜視図である。
【図１６】本発明の実施の形態に係る前面筐体の開口部のカバーを表面から示す図である。
【図１７】本発明の実施の形態に係る室内機の右端部を拡大して示す図である。
【図１８】本発明の実施の形態に係る室内機を図１７の線Ａ−Ａで切断した端面をフック形成部の周辺を矢印の方向から示す図である。
【図１９】本発明の実施の形態に係る室内機において通信アダプターが仮置きされる前の状態を示す斜視図である。
【図２０】本発明の実施の形態に係る室内機において通信アダプターが仮置きされた後の状態を示す斜視図である。
【図２１】本発明の実施の形態に係る室内機において前面筐体の取り付ける時の状態を示す斜視図である。
【図２２】本発明の実施の形態に係る室内機において前面筐体が取り付けられた後の状態を示す斜視図である。
【図２３】本発明の実施の形態に係る室内機において前面筐体が取り付けられた後の状態を示す正面図である。
【図２４】本発明の実施の形態に係る室内機において通信アダプターが固定収納部に固定された状態を示す斜視図である。
【図２５】本発明の実施の形態に係る室内機において通信アダプターが固定収納部に固定された後、カバーが取り付けられた状態を示す斜視図である。
【発明を実施するための形態】
【０００９】  以下に、本発明における空気調和機の室内機の実施の形態を図面に基づいて詳細に説明する。尚、以下に説明する実施の形態によって本発明が限定されるものではない。また、以下の図面においては各構成部材の大きさ及び形状は実際の装置とは異なる場合がある。
【００１０】実施の形態．＜室内機＞  図１は、本発明の実施の形態に係る空気調和機の室内機１の分解斜視図である。図２は、本発明の実施の形態に係る空気調和機の室内機１の断面図である。図２において、左側が室内機１の前面側であり、右側が室内機１の背面側である。室内機１は、例えば、空調対象空間の壁面に据え付けられる壁掛け型の室内機である。室内機１は、背面筐体１０と、前面筐体２０と、正面意匠パネル３０と、吹出口構造体４０と、熱交換器５０と、送風ファン６０と、電気品箱７０とを有している。また、室内機１は、ファンモータ８０と、下ホルダー８１、上ホルダー８２と、上下風向調整板９０と、接続パイプ５２と、露飛び防止部材１００とを有している。背面筐体１０は、室内機１の背面を構成する部材である。前面筐体２０は、室内機１の前面を構成する部材である。前面筐体２０は、熱交換器５０の前面側において、背面筐体１０に対して着脱可能に設けられている。背面筐体１０と前面筐体２０とで、室内機１の外郭が形成されている。正面意匠パネル３０は、前面筐体２０の前面側において、前面筐体２０に対して、開閉自在、かつ着脱可能に設けられている。
【００１１】  室内機１の上部には吸入口１Ａが形成されている。吸入口１Ａは、室内機１の外部の空気を室内機１の内部へ導くための開口である。室内機１の下部には吹出口１Ｂが形成されている。吹出口１Ｂは、室内機１の内部の空気を室内機１の外部に導くための開口である。
【００１２】  熱交換器５０は、暖房運転時には凝縮器として機能し、冷房運転時には蒸発器として機能する熱交換器である。送風ファン６０は、吸入口１Ａから吸入され、熱交換器５０を通り、吹出口１Ｂから吹き出される空気流を生成するためのファンである。
【００１３】  電気品箱７０は、室内機１の運転を行うために必要な各種電気品が収納されている部材である。電気品箱７０内には、図示省略の制御基板が実装されている。吹出口構造体４０は、ドレンパン４１と、風路構成部材４２とを有している。ドレンパン４１は、室内機１の運転中に生じるドレン水を受ける部材である。ドレンパン４１は、図２に示すように、熱交換器５０よりも下方に設けられている。風路構成部材４２は、熱交換器５０を通過した空気を吹出口１Ｂに導くための部材である。
【００１４】  上下風向調整板９０は、室内機１の前面側の下部に設けられている。上下風向調整板９０は、回動自在に構成されている部材であり、吹出口１Ｂから外部に吹き出される空気の上下の風向を調整するためのものである。接続パイプ５２は、室内機１の背面側の下部に配置されている。接続パイプ５２は、室内機１と図示省略の室外機とを接続する管であり、中空形状を有している。
【００１５】＜固定収納部及び露飛び防止部材＞  図３は、本発明の実施の形態に係る空気調和機の室内機１の右端部を示す斜視図である。図３には、正面意匠パネル３０を取り外し、前面筐体２０及び電気品箱７０が露出した状態が示されている。前面筐体２０の右端部、すなわち電気品箱７０が配設される側の端部の上方には、通信アダプターの固定収納部２１が設けられている。固定収納部２１には、外部機器との通信を行うための通信アダプター１５０が収納されている。通信アダプター１５０からは通信ケーブル１５３が延びている。前面筐体２０において、電気品箱７０の側に位置している部分には、カバー２２が取り付けられている。カバー２２は、前面筐体２０の後述する開口部を覆うように設けられている。室内機１の出荷の時点で、通信アダプター１５０は固定収納部２１に固定されている。また、通信アダプター１５０が固定収納部２１に固定された状態で、室内機１は運転される。ユーザは、カバー２２が取り付けられた状態で、通信アダプター１５０を固定収納部２１から取り外すことにより、通信アダプター１５０の後述する底面及び側面を自由に視認することができる。ユーザが通信アダプター１５０を固定収納部２１から取り外す態様については後述する。
【００１６】  図４は、本発明の実施の形態に係る空気調和機の室内機１の右端部を示す斜視図である。図４には、正面意匠パネル３０及びカバー２２を取り外した状態を示している。前面筐体２０の右端部であって電気品箱７０の左側には、露飛び防止部材１００が配置されている。すなわち、露飛び防止部材１００は、熱交換器５０の電気品箱７０が設けられている側の端部と、電気品箱７０との間に配置されている。露飛び防止部材１００の前面には、通信アダプター１５０の仮置き部１１０及びケーブル固定部１２０が設けられている。通信アダプター１５０から延びる通信ケーブル１５３は、ケーブル固定部１２０に着脱可能に固定されている。背面筐体１０に取り付けられた前面筐体２０において、露飛び防止部材１００が配置されている位置に対面する部分には、開口部２０Ａが形成されている。前述のカバー２２は、開口部２０Ａを覆うように設けられている。尚、仮置き部１１０及びケーブル固定部１２０の詳細な構成については後述する。
【００１７】  通信アダプター１５０が固定収納部２１に固定された状態で、ケーブル固定部１２０を経由する通信アダプター１５０と電気品箱７０との間の、通信ケーブル１５３の引き回しの経路において、通信ケーブル１５３は撓むことのない長さを有している。また、通信アダプター１５０を固定収納部２１から取り外し、通信ケーブル１５３をケーブル固定部１２０から取り外したとき、手に取った通信アダプター１５０の角度及び姿勢を変える動作を妨げることがない長さに、通信ケーブル１５３の長さは設定されている。すなわち、通信アダプター１５０を固定収納部２１から取り外し、通信ケーブル１５３をケーブル固定部１２０から取り外した状態において、サービスマンは、通信アダプター１５０の後述する底面及び側面を自由に視認することができる。
【００１８】  図５は、本発明の実施の形態における熱交換器５０の右端部の構成を拡大して示す分解斜視図である。ファンモータ８０は、図１及び図２に示す送風ファン６０を回転駆動させるためのモータである。ファンモータ８０は、下ホルダー８１と上ホルダー８２とで挟み込むように保持されている。下ホルダー８１は、ファンモータ８０の下部を保持する部材であり、上ホルダー８２は、ファンモータ８０の上部を保持する部材である。
【００１９】＜露飛び防止部材＞  露飛び防止部材１００は、熱交換器５０の伝熱管５１においてＵ字状に曲げられている部分に発生する水滴の室内機１の前面側への飛散を防止する部材である。尚、前述の上ホルダー８２により、伝熱管５１のＵ字状に曲げられている部分に発生する水滴の電気品箱７０の側への飛散は、前述の上ホルダー８２により防止される。
【００２０】＜通信アダプター＞  図６及び図７は、本発明の実施の形態における通信アダプター１５０の斜視図である。通信アダプター１５０は、全体として直方体の形状を有している。通信アダプター１５０は、例えば、ＡＢＳ（Acrylonitrile、Butadiene、Styrene）樹脂等の白色等で薄肉により透光性を有する材質で形成されている。通信アダプター１５０は、矩形の一対の底面１５０Ａ、１５０Ｂを有している。底面１５０Ａ及び１５０Ｂには、通信設定などに必要な各種情報が印刷されている。また、通信アダプター１５０の側面は、底面１５０Ａ、１５０Ｂの長手方向に延びる一対の側面と、底面１５０Ａ、１５０Ｂの短手方向に延びる一対の側面で構成されている。図６及び図７には、長手方向に延びる一対の側面のうちの一方の側面１５０Ｃが示されている。図６には、短手方向に延びる一対の側面のうちの一方の側面１５０Ｄが示されており、図６及び図７には、側面１５０Ｄと、短手方向に延びる一対の側面のうちの他方一方の側面１５０Ｅが示されている。
【００２１】  通信アダプター１５０の側面１５０Ｄには、ケーブル出口１５２が形成されている。図３及び図４に示す通信ケーブル１５３は、ケーブル出口１５２を介して通信アダプター１５０の内部から引き出される。ケーブル出口１５２は、底面１５０Ａ及び底面１５０Ｂの短手方向において、短手方向の中央から、側面１５０Ｃの反対側の側面の側へシフトした位置に位置づけられている。
【００２２】  以降の説明において、通信アダプター１５０及び通信アダプター１５０の縦方向とは、底面１５０Ａ及び底面１５０Ｂの長手方向であり、通信アダプター１５０の横方向とは、底面１５０Ａ、１５０Ｂに垂直な方向であり、厚み方向と一致している。また、通信アダプター１５０を縦置きとは、通信アダプター１５０の縦方向が室内機１の上下方向に沿い、かつ、底面１５０Ａ及び底面１５０Ｂが室内機１の前後方向に沿うよう、通信アダプター１５０を配置することを意味する。また、通信アダプター１５０の横置きとは、通信アダプター１５０の縦方向が室内機１の横方向に沿い、かつ、底面１５０Ａ及び底面１５０Ｂが室内機１の前後方向に沿うよう、通信アダプター１５０を配置することを意味する。
【００２３】＜露飛び防止部材＞  図８は、本発明の実施の形態に係る露飛び防止部材１００の正面図である。図９は、本発明の実施の形態に係る露飛び防止部材１００を右斜め上から示す斜視図である。図１０は、本発明の実施の形態に係る露飛び防止部材１００を左斜め上から示す斜視図である。図９は、露飛び防止部材１００を図１及び図２に示す電気品箱７０の側から示しており、図１０は、露飛び防止部材１００を図１及び図２に示す熱交換器５０の側から示している。
【００２４】  露飛び防止部材１００において、室内機１の前面側の面１０１は、側壁部１１１と、第１リブ１１２と、第２リブ１１３と、第３リブ１１４とを有している。側壁部１１１、第１リブ１１２、第２リブ１１３、及び第３リブ１１４は、露飛び防止部材１００の面１０１に直交するよう設けられている。側壁部１１１、第１リブ１１２、第２リブ１１３、及び第３リブ１１４は、薄板状の形状を有しており、室内機１の上下方向と平行に延びている。側壁部１１１は、露飛び防止部材１００の右端部、すなわち電気品箱７０の側の端部に設けられている。第１リブ１１２は、露飛び防止部材１００の左端部、すなわち熱交換器５０の側の端部に設けられている。第２リブ１１３及び第３リブ１１４は、側壁部１１１と第１リブ１１２の間に設けられている。
【００２５】  第１リブ１１２、第２リブ１１３、及び第３リブ１１４により、仮置き部１１０が形成されている。第２リブ１１３と側壁部１１１によりケーブル固定部１２０が形成されている。すなわち、仮置き部１１０は熱交換器５０の側に形成され、ケーブル固定部１２０は電気品箱７０の側に形成されている。仮置き部１１０は、通信アダプター１５０が仮置きれる部分である。通信アダプター１５０の仮置きとは、室内機１の組み立ての途中工程、及びメンテナンス時に、前面筐体２０を背面筐体１０に対して着脱する際、通常の運転時に固定収納される固定収納部２１とは別の位置に、通信アダプター１５０を一時的に設置することである。ケーブル固定部１２０は通信ケーブル１５３が固定される部分である。
【００２６】  尚、室内機１の内部における周辺部材との相対的な位置関係、及び室内機１の内部の設計に合わせて、仮置き部１１０を電気品箱７０の側に配置し、ケーブル固定部１２０を熱交換器５０の側に配置してよい。
【００２７】  第１リブ１１２は横方向サポート部１１２Ａと縦方向サポート部１１２Ｂとを有している。横方向サポート部１１２Ａは、仮置き部１１０の上下方向に延びている。横方向サポート部１１２Ａは、側面視で略直角三角形の形状を有しており、面１０１に垂直な方向の長さが上方から下方へ向かって徐々に短くなるよう、配置されている。縦方向サポート部１１２Ｂは、横方向サポート部１１２Ａの上端部と連続している。縦方向サポート部１１２Ｂは、仮置き部１１０の横方向と平行に、ケーブル固定部１２０の側へ延びている。すなわち、横方向サポート部１１２Ａと縦方向サポート部１１２Ｂは互いに直交しており、横方向サポート部１１２Ａと縦方向サポート部１１２Ｂにより角部が形成されている。縦方向サポート部１１２Ｂの、面１０１と垂直な方向の長さは、横方向サポート部１１２Ａと連続する端部から自由端まで、横方向サポート部１１２Ａの上端部の長さと同一である。
【００２８】  尚、第１リブ１１２における横方向サポート部１１２Ａ及び縦方向サポート部１１２Ｂの態様は前述のものに限るものではない。室内機１の内部における周辺部材との相対的な位置関係、及び室内機１の内部の設計に合わせて、各部の形状、及び各部の面１０１と垂直な方向の長さを設定することができる。また、横方向サポート部１１２Ａの上端部と、縦方向サポート部１１２Ｂの左端部との間に隙間が形成されるよう、横方向サポート部１１２Ａ及び縦方向サポート部１１２Ｂを配設してもよい。
【００２９】  第２リブ１１３は横方向サポート部１１３Ａと縦方向サポート部１１３Ｂとを有している。横方向サポート部１１３Ａは、縦方向、すなわち仮置き部１１０の上下方向に延びている。横方向サポート部１１３Ａは、第１山部１１３ＡＡと、第２山部１１３ＡＢと、第３山部１１３ＡＣと、第１谷部１１３ＡＤと、第２谷部１１３ＡＥとを有している。
【００３０】  第１山部１１３ＡＡは最も上方に位置し、側面視で略台形の形状を有しており、面１０１に垂直な方向の長さが上方から下方へ向かって徐々に短くなっている。第１谷部１１３ＡＤは、第１山部１１３ＡＡの下方側の端部に連続している。第１谷部１１３ＡＤの面１０１に垂直な方向の長さは、第１山部１１３ＡＡの下方側の端部の長さと同一である。第２山部１１３ＡＢは、第１谷部１１３ＡＤの下方側の端部に連続している。第２山部１１３ＡＢは、側面視で略直角三角形の形状を有している。第２山部１１３ＡＢの上側の端部、すなわち、第１谷部１１３ＡＤと連続している端部の、面１０１に垂直な方向の長さは、第１山部１１３ＡＡの上端部の長さよりも長い。そして、第２山部１１３ＡＢの面１０１に垂直な方向の長さは、上方から下方へ向かって徐々に短くなっている。第２谷部１１３ＡＥは、第２山部１１３ＡＢの下方側の端部に連続している。第２谷部１１３ＡＥの面１０１に垂直な方向の長さは、第２山部１１３ＡＢの下方側の端部の長さと同一である。第３山部１１３ＡＣは、第２谷部１１３ＡＥの下方側の端部に連続している。第３山部１１３ＡＣは、側面視で略台形の形状を有しており、面１０１に垂直な方向の長さが上方から下方へ向かって徐々に短くなっている。
【００３１】  縦方向サポート部１１３Ｂは、横方向サポート部１１３Ａの第１山部１１３ＡＡの上端部と連続している。縦方向サポート部１１３Ｂは、仮置き部１１０の横方向と平行に、ケーブル固定部１２０から離れる方向へ延びている。横方向サポート部１１３Ａの第１山部１１３ＡＡと縦方向サポート部１１３Ｂは互いに直交しており、第１山部１１３ＡＡと縦方向サポート部１１３Ｂにより角部が形成されている。
【００３２】  さらに、第１リブ１１２の縦方向サポート部１１２Ｂの自由端と第２リブ１１３の縦方向サポート部１１３Ｂの自由端は、間隔を空けて対向している。
【００３３】  横方向サポート部１１２Ａと縦方向サポート部１１２Ｂとが形成している角部と、横方向サポート部１１３Ａの第１山部１１３ＡＡと縦方向サポート部１１３Ｂとが形成している角部は、仮置き部１１０の上下方向において略同じ位置に位置している。換言すると、縦方向サポート部１１２Ｂの下側の面と縦方向サポート部１１３Ｂの下側の面は、仮置き部１１０の上下方向において略同じ位置に位置している。
【００３４】  尚、第２リブ１１３における、横方向サポート部１１３Ａの第１山部１１３ＡＡ、第２山部１１３ＡＢ、第３山部１１３ＡＣ、第１谷部１１３ＡＤ、及び第２谷部１１３ＡＥの態様、並びに縦方向サポート部１１３Ｂの態様は前述のものに限るものではない。室内機１の内部における周辺部材との相対的な位置関係、及び室内機１の内部の設計に合わせて、各部の形状、及び各部の面１０１と垂直な方向の長さを設定することができる。また、第１山部１１３ＡＡの上端部と縦方向サポート部１１３Ｂの右端部との間に隙間が形成されるよう、横方向サポート部１１３Ａ及び縦方向サポート部１１３Ｂを配設してもよい。
【００３５】  第３リブ１１４は、側面視で略直角三角形の形状を有しており、面１０１に垂直な方向の長さが上方から下方へ向かって徐々に短くなっている。第３リブ１１４は、仮置き部１１０の上下方向において、第２リブ１１３の横方向サポート部１１３Ａの第３山部１１３ＡＣの下半分と略同じ位置に位置している。第３リブ１１４と第３山部１１３ＡＣは、間隔を空けて平行に延びている。
【００３６】  尚、第３リブ１１４の態様は前述のものに限るものではない。室内機１の内部における周辺部材との相対的な位置関係、及び室内機１の内部の設計に合わせて、第３リブ１１４の形状、及び第３リブ１１４の面１０１と垂直な方向の長さを設定することができる。
【００３７】  第１リブ１１２と第２リブ１１３の間の横方向の長さは、通信アダプター１５０の厚み方向の長さよりも僅かに短くなっている。第１リブ１１２の縦方向サポート１１２Ｂの下面及び第２リブ１１３の縦方向サポート部１１３Ｂの下面と、第３リブ１１４の上端部との間の、上下方向に平行な長さは、通信アダプター１５０の縦方向の長さより僅かに短くなっている。
【００３８】  側壁部１１１と第２リブ１１３との間、すなわちケーブル固定部１２０には、第１ケーブル支持板１２１と第２ケーブル支持板１２２が設けられている。第１ケーブル支持板１２１は薄板状の形状を有しており、上端部においてＵ字状の切欠きが形成されている。第１ケーブル支持板１２１の一方の端部は、第２リブ１１３の第１谷部１１３ＡＤと第２山部１１３ＡＢの境界に位置している。第１ケーブル支持板１２１の他方の端部は、一方の端部よりも上方に位置している。すなわち、第１ケーブル支持板１２１は、側壁部１１１から第２リブ１１３へ向かって下方向に傾斜している。
【００３９】  同様に、第２ケーブル支持板１２２は薄板状の形状を有しており、上端部においてＵ字状の切欠きが形成されている。第２ケーブル支持板１２２の一方の端部は、第２リブ１１３の第２谷部１１３ＡＥと第３山部１１３ＡＣの境界に位置している。第２ケーブル支持板１２２の他方の端部は、一方の端部よりも上方に位置している。すなわち、第２ケーブル支持板１２２は、側壁部１１１から第２リブ１１３へ向かって下方向に傾斜している。
【００４０】  通信アダプター１５０は、図８において斜線で示す領域、すなわち仮置き部１１０に仮置きされる。通信アダプター１５０が仮置き部１１０に仮置きされるときの姿勢は２通りある。第１の姿勢は、底面１５０Ａを横方向サポート部１１２Ａに当接させ、底面１５０Ｂを横方向サポート部１１３Ａに当接させ、側面１５０Ｄの両端部をそれぞれ縦方向サポート部１１２Ｂ、縦方向サポート部１１３Ｂに当接させる姿勢である。すなわち、側面１５０Ｄの短手方向に延びる辺部の両端部が、それぞれ横方向サポート部１１２Ａと縦方向サポート部１１２Ｂの角部と、横方向サポート部１１３Ａの第１山部１１３ＡＡと縦方向サポート部１１３Ｂの角部に当接している。通信アダプター１５０が第１の姿勢で仮置きされるとき、側面１５０Ｅは第３リブ１１４の上端に当接し、側面１５０Ｃと反対側の側面が面１０１に当接し、側面１５０Ｃが室内機１の前面側を向いて露出することとなる。また、底面１５０Ａの一部が第１リブ１１２の下方から露出し、底面１５０Ｂの一部が第１谷部１１３ＡＤ及び第２谷部１１３ＡＥから露出することとなる。
【００４１】  第２の姿勢は、底面１５０Ａを横方向サポート部１１３Ａに当接させ、底面１５０Ｂを横方向サポート部１１２Ａに当接させ、側面１５０Ｄの両端部をそれぞれ縦方向サポート部１１２Ｂ、縦方向サポート部１１３Ｂに当接させる姿勢である。すなわち、側面１５０Ｄの短手方向に延びる辺部の両端部が、それぞれ横方向サポート部１１２Ａと縦方向サポート部１１２Ｂの角部と、横方向サポート部１１３Ａの第１山部１１３ＡＡと縦方向サポート部１１３Ｂの角部に当接している。通信アダプター１５０が第２の姿勢で仮置きされるとき、側面１５０Ｅは第３リブ１１４の上端に当接し、側面１５０Ｃと反対側の側面が室内機１の前面側を向いて露出し、側面１５０Ｃが面１０１に当接することとなる。また、底面１５０Ｂの一部が第１リブ１１２の下方から露出し、底面１５０Ａの一部が第１谷部１１３ＡＤ及び第２谷部１１３ＡＥから露出することとなる。
【００４２】  第１の姿勢及び第２の姿勢のいずれの場合も、通信アダプター１５０は、仮置き部１１０において縦置きされることになる。前述のように、第１リブ１１２と第２リブ１１３の間の横方向の長さは、通信アダプター１５０の厚み方向の長さよりも僅かに短くなっている。従って、通信アダプター１５０は、横方向サポート部１１２Ａと横方向サポート部１１３Ａで挟持され、仮置き位置が横方向にずれることがない。
【００４３】  第１リブ１１２の縦方向サポート１１２Ｂの下面及び第２リブ１１３の縦方向サポート部１１３Ｂの下面と、第３リブ１１４の上端部との間の、上下方向に平行な長さは、通信アダプター１５０の縦方向の長さより僅かに短くなっている。従って、通信アダプター１５０は、縦方向サポート部１１２Ｂ及び縦方向サポート部１１３Ｂと第３リブ１１４とで挟持され、仮置き位置が縦方向にずれることがない。
【００４４】  また、第１の姿勢及び第２の姿勢のいずれの場合も、ケーブル出口１５２が形成されている側面１５０Ｄが縦方向サポート部１１２Ｂ及び縦方向サポート部１１３Ｂに当接する。従って、ケーブル出口１５２から延びる通信ケーブル１５３は、縦方向サポート部１１２Ｂと縦方向サポート部１１３Ｂの間から、仮置き部１１０の外方へ引き回される。
【００４５】  縦方向サポート部１１２Ｂと縦方向サポート部１１３Ｂの間から仮置き部１１０の外方へ引き回された通信ケーブル１５３は、第１ケーブル支持板１２１及び第２ケーブル支持板１２２のＵ字状の切欠き部に保持され、図４に示すように位置決めされる。
【００４６】＜固定収納部＞  図１１は、本発明の実施の形態に係る通信アダプターの固定収納部を右斜め上から示す斜視図である。図１２は、本発明の実施の形態に係る通信アダプターの固定収納部を左斜め上から示す斜視図である。固定収納部２１は箱状の凹部であり、室内機１の前面側は開口している。固定収納部２１の内壁面は、室内機１の上下方向における上側の上面２１Ａ、下側の下面２１Ｂ、横方向における左側の側面２１Ｃを有している。また、固定収納部２１の横方向における右側は開口している。上面２１Ａと下側の下面２１Ｂとの間の長さ、すなわち幅は、通信アダプター１５０の厚さ方向の長さ、すなわち幅よりも僅かに大きくなっている。
【００４７】  上面２１Ａには２つの凸状の、通信アダプター１５０の支持部２３、２４が設けられている。支持部２３及び支持部２４は、固定収納部２１の底面２１Ｄから室内機１の前方側の開口部分に向かって、すなわち室内機１の前後方向に延びている。下面２１Ｂには２つの凸状の、通信アダプター１５０の支持部２５、２６が設けられている。支持部２５及び支持部２６は、固定収納部２１の底面２１Ｄから開口部分に向かって、すなわち室内機１の前後方向に延びている。支持部２３と支持部２５は、室内機１の上下方向において対向する位置に形成されている。支持部２４と支持部２６は、室内機１の上下方向において対向する位置に形成されている。
【００４８】  室内機１の前方側の開口部分における支持部２３と支持部２５の間の長さ、及び支持部２４と支持部２６の間の長さは、通信アダプター１５０の厚さ方向の長さより僅かに短い。支持部２３及び支持部２４の上面２１Ａからの突出量は、室内機１の前方側の開口部分において最も小さく、底面２１Ｄへ向かって徐々に大きくなっている。支持部２５及び支持部２６の下面２１Ｂからの突出量は、室内機１の前方側の開口部分において最も小さく、底面２１Ｄへ向かって徐々に大きくなっている。
【００４９】  下面２１Ｂにおいて、支持部２６の右側には、位置決めサポート板２７が設けられている。位置決めサポート板２７は、通信アダプター１５０の向きを固定収納部２１に収納する際の姿勢を決めるために形成されている。位置決めサポート板２７は、薄板状の矩形の形状を有している。位置決めサポート板２７は、長手方向が室内機１の前後方向に延び、短手方向が室内機１の上下方向に延びるよう配置されている。側面２１Ｃと位置決めサポート板２７の間の長さ、すなわち幅は、通信アダプター１５０の縦方向の長さより僅かに大きい。
【００５０】  位置決めサポート板２７の短手方向の長さは、例えば、上面２１Ａと下面２１Ｂとの間の長さの略半分である。すなわち、位置決めサポート板２７の短手方向の長さは、通信アダプター１５０の厚さ方向の長さの略半分である。従って、上面２１Ａと位置決めサポート板２７は、通信アダプター１５０の厚さ方向の長さの略半分に相当する長さだけ離間している。
【００５１】  通信アダプター１５０は、図６及び図７に示す底面１５０Ａが上面２１Ａに対向し、図７に示す底面１５０Ｂが下面２１Ｂに対向し、図６及び図７に示す側面１５０Ｄが位置決めサポート板２７に対向した状態で、固定収納部２１に収納されている。すなわち、通信アダプター１５０は、固定収納部２１において、横置きされている。
【００５２】  側面１５０Ｄに形成されたケーブル出口１５２から延びている通信ケーブル１５３は、上面２１Ａと位置決めサポート板２７の間から、前述のケーブル固定部１２０に導かれている。
【００５３】  尚、本実施の形態では、固定収納部２１において、支持部２３と支持部２５、及び支持部２４と支持部２６が、室内機１の上下方向において対向する位置に形成されているがこれに限るものではない。上面２１Ａに形成される凸状の支持部の数と下面２１Ｂに形成される凸状の支持部の数を同一とさせなくてもよいし、上面２１Ａに形成される凸状の支持部の左右方向の位置と下面２１Ｂに形成される凸状の支持部の左右方向の位置とを一致させなくてもよい。例えば、上面２１Ａにおいて、前述のように支持部２３と支持部２４を形成し、下面２１Ｂにおいて、支持部２３と支持部２４の間の位置に対向するよう１つ若しくは複数の支持部を形成してもよい。また、下面２１Ｂにおいて、前述のように支持部２５と支持部２６を形成し、上面２１Ａにおいて、支持部２５と支持部２６の間の位置に対向するよう１つ若しくは複数の支持部を形成してもよい。
【００５４】  本実施の形態において、通信ケーブル１５３の長さは、通信アダプター１５０が固定収納部２１に横置きされたとき、通信アダプター１５０と電気品箱７０との間で、詳細にはケーブル出口１５２と電気品箱７０との間で、撓むことのない長さに設定されている。
【００５５】＜通信ケーブル＞  図１３及び図１４は、本実施の形態に係る室内機１の前面筐体２０の上右端部を拡大して示す図である。図１３には、正面意匠パネル３０及びカバー２２を取り外した状態が示されている。図１４には、正面意匠パネル３０が取り外され、カバー２２が取り付けられている状態が示されている。図１３に示すように、前面筐体２０において、露飛び防止部材１００の上方に、バンド位置維持部２８が設けられている。通信アダプター１５０の通信ケーブル１５３には結束バンド１５４が取り付けられている。通信アダプター１５０から露飛び防止部材１００のケーブル固定部１２０へ引き回されている通信ケーブル１５３において、バンド位置維持部２８に相当する位置に結束バンド１５４が取り付けられている。通信ケーブル１５３及び結束バンド１５４は、バンド位置維持部２８に収納されている。
【００５６】  図１５は、バンド位置維持部２８を拡大して示す斜視図である。バンド位置維持部２８は、箱状の凹部である。バンド位置維持部２８において、室内機１の上下方向で対向している一対の壁面２８１、２８２には、Ｕ字状の切欠き部２８１Ａ、２８２Ａが形成されている。
【００５７】  バンド位置維持部２８内において、通信ケーブル１５３は、壁面２８１の切欠き部２８１Ａ及び壁面２８２の切欠き部２８２Ａに支持されている。また、結束バンド１５４は、壁面２８１及び壁面２８２により、室内機１の上下方向に変位することが防止されている。図１４に示すように、バンド位置維持部２８は、カバー２２を取り付けることで覆われる。
【００５８】  開口部２０Ａがカバー２２で塞がれた状態で、ユーザが固定収納部２１から通信アダプター１５０を取り外して手に取ることができるよう、通信ケーブル１５３の、通信アダプター１５０と結束バンド１５４の取付位置の間との部分の長さは設定されている。これにより、開口部２０Ａがカバー２２で塞がれた状態で、ユーザは通信アダプター１５０に印刷されている各種情報を手元で確認することができる。
【００５９】＜カバー＞  図１６は、前面筐体２０の開口部２０Ａのカバー２２を表面から示す図である。カバー２２は、本体２２１と、フック形成部２２２と、ネジ固定部２２３とを有している。フック形成部２２２は本体２２１の上端部側に設けられ、ネジ固定部２２３は本体２２１の下端部側に設けられている。フック形成部２２２の裏面には、フック２２２Ａとフック２２２Ｂが設けられている。ネジ固定部２２３にはネジ穴２２３Ａが形成されている。
【００６０】  図１７は、本発明の実施の形態に係る室内機１の右端部を拡大して示す図である。図１７には、正面意匠パネル３０を取り外した状態が示されている。前述のように、カバー２２は、前面筐体２０の右端部と電気品箱７０との間に配置され、露飛び防止部材１００を覆っている。カバー２２の下方は、ネジ２２４により前面筐体２０に固定されている。
【００６１】  ネジ２２４を外し、フック２２２Ａ及びフック２２２Ｂの係止状態を解除することにより、カバー２２は前面筐体２０から取り外し可能である。
【００６２】  図１８は、室内機１を図１７の線Ａ−Ａで切断した端面をフック形成部２２２の周辺を図１７に示す矢印の方向から示す図である。フック２２２Ａは、前面筐体２０の開口部２０Ａの上縁部において、前面筐体２０の裏面に直交するように設けられた板状の受部２０Ｂに係止している。尚、フック２２２Ｂも同様の態様で受部２０Ｂに係止されている。
【００６３】  このように、本実施の形態においては、正面意匠パネル３０を取り外すと、固定収納部２１に固定されている通信アダプター１５０が露出するようになっている。また、正面意匠パネル３０を取り外した状態において、開口部２０Ａはカバー２２により塞がれており、仮置き部１１０及びケーブル固定部１２０は露出しないようになっている。
【００６４】＜組立手順＞  ここで、室内機１の組立手順について説明する。まず、図１に示す背面筐体１０に、熱交換器５０、送風ファン６０、及び電気品箱７０が組み付けられる。このタイミングで、図１及び図５に示すファンモータ８０、下ホルダー８１、及び上ホルダー８２が組み込まれる。次いで、図１及び図５に示す露飛び防止部材１００が組み付けられる。次いで、通信ケーブル１５３が電気品箱７０に配線接続される。次いで、通信ケーブル１５３がケーブル固定部１２０に取り回される。図１９は、本発明の実施の形態に係る室内機１において通信アダプター１５０が仮置きされる前の状態、及び、通信ケーブル１５３がケーブル固定部１２０に固定された後の、露飛び防止部材１００と通信アダプター１５０とを示す斜視図である。
【００６５】  図２０は、本発明の実施の形態に係る室内機１において通信アダプター１５０が仮置きされた後の状態を示す斜視図である。通信ケーブル１５３が露飛び防止部材１００のケーブル固定部１２０に固定された状態で、通信アダプター１５０は、露飛び防止部材１００の仮置き部１１０に、縦置きの姿勢で仮置きされる。
【００６６】  図２１は、本発明の実施の形態に係る室内機１において前面筐体２０を取り付ける時の状態を示す斜視図である。図２２は、本発明の実施の形態に係る室内機１において前面筐体２０が取り付けられた後の状態を示す斜視図である。図２３は、本発明の実施の形態に係る室内機１において前面筐体２０が取り付けられた後の状態を示す正面図である。図２１に示されるように、前面筐体２０は熱交換器５０の前面側に位置づけられ、背面筐体１０に取り付けられる。図２２及び図２３に示すように、前面筐体２０が背面筐体１０に取り付けられた状態で、仮置きされている通信アダプター１５０及び、固定されている通信ケーブル１５３が、前面筐体２０の開口部２０Ａを介して露出している。次いで、通信ケーブル１５３がケーブル固定部１２０に保持されたまま、通信アダプター１５０が仮置き部１１０から取り外される。そして、開口部２０Ａを介して通信アダプター１５０が取り出され、結束バンド１５４をバンド位置維持部２８に入れた後、通信アダプター１５０は固定収納部２１に固定される。
【００６７】  図２４は、本発明の実施の形態に係る室内機１において通信アダプター１５０が固定収納部２１に固定された状態を示す斜視図である。図２５は、本発明の実施の形態に係る室内機１において通信アダプター１５０が固定収納部２１に固定された後、カバー２２が取り付けられた状態を示す斜視図である。図２４に示す状態では、通信アダプター１５０は前面筐体２０のケーブル固定部１２０に固定され、通信ケーブル１５３は露飛び防止部材１００のケーブル固定部１２０に保持されている。そして、露飛び防止部材１００の前面側、すなわち、仮置き部１１０及びケーブル固定部１２０は開口部２０Ａを介して露出している。この状態で、露飛び防止部材１００の前面側を覆うように、カバー２２が前面筐体２０に取り付けられる。カバー２２の取り付けは、まず、図１８に示すように、前述のフック２２２Ａ及びフック２２２Ｂを前面筐体２０の受部２０Ｂに係止させる。そして、フック２２２Ａ及びフック２２２Ｂが受部２０Ｂに係止されている状態で、ネジ固定部２２３のネジ穴２２３Ａから、ネジ２２４を挿入し、図１７に示すように、ネジ２２４によりカバー２２下方を前面筐体２０に固定する。これにより、図２５に示すように、露飛び防止部材１００の前面側はカバー２２により覆われる。この状態で、図１に示す正面意匠パネル３０が、前面筐体２０に対して開閉自在に取り付けられる。
【００６８】＜メンテナンス時＞  メンテナンス時における室内機１の解体は組立手順と逆の手順で行われる。すなわち、正面意匠パネル３０を取り外し、図２５に示す状態とし、次いで、カバー２２を取り外し、図２４に示す状態とする。そして、通信アダプター１５０を前面筐体２０の固定収納部２１から取り外し、結束バンド１５４をバンド位置維持部２８から外し、露飛び防止部材１００の仮置き部１１０に仮置きし、図２２及び図２３に示す状態とする。次いで、図２１に示すように、通信アダプター１５０を仮置き部１１０に仮置きしたまま、前面筐体２０を背面筐体１０から取り外し、図２０に示す状態とする。
【００６９】  本実施の形態によれば、固定収納部２１とは別に、露飛び防止部材１００に通信アダプター１５０の仮置き部１１０が設けられている。従って、前述したように、室内機１の組み立て時及びメンテナンス時に前面筐体２０を背面筐体１０に着脱する際、通信アダプター１５０を仮置き部１１０に仮置きすることができる。その結果、通信アダプター１５０が固定収納部２１に固定されていなくても、作業中に通信アダプター１５０がぶらつくことがなく、室内機１の組み立て時及びメンテナンス時の作業性が向上する。
【００７０】  また、仮置き部１１０を設けたことにより、通信アダプター１５０を仮置き部１１０に仮置きし、通信ケーブル１５３を電気品箱７０の制御基板に接続したまま、前面筐体２０の着脱を行うことができる。従って、室内機１の組み立て時及びメンテナンス時の作業性が向上する。
【００７１】  そして、仮置き部１１０により作業中の通信アダプター１５０の仮置きが可能となったことで、ユーザ及びサービスマンが通信アダプター１５０を固定収納部２１から取り外し、自由に手にとって作業できる程度に通信ケーブル１５３を長く設定することができる。その結果、室内機１のメンテナンス時の作業性がより向上する。また、通信ケーブル１５３を長く設定しても、仮置き部１１０に通信アダプター１５０を固定することができるため、前面筐体２０の着脱時に通信ケーブル１５３が邪魔になることはない。
【００７２】  また、前述のように、作業中、通信アダプター１５０がぶらつくことがないため、通信アダプター１５０が熱交換器５０等の周辺部材に衝突し、熱交換器５０等を傷つけることが抑えられる。また、熱交換器５０等の周辺部材との接触が抑えられることにより、通信アダプター１５０自体の破損が抑えられる。また、通信アダプター１５０の外面に形成された印刷の破損も抑えられる。また、通信アダプター１５０の意匠性を損なうことが抑えられる。
【００７３】  本実施の形態では、仮置き部１１０及びケーブル固定部１２０を露出させる開口部２０Ａにカバー２２が設けられている。従って、開口部２０Ａを介して異物が侵入すること、及び手指等が挿入されることが防止される。
【００７４】  本実施の形態では、カバー２２は、上方がフック２２２Ａ及びフック２２２Ｂにより前面筐体２０の受部２０Ｂに係止し、下方がネジ２２４により前面筐体２０に固定されている。従って、ネジ２２４が外れても、フック２２２Ａ及びフック２２２Ｂと受部２０Ｂとの係止により、カバー２２が落下することがない。
【００７５】  本実施の形態によれば、固定収納部２１には、位置決めサポート板２７が設けられている。通信アダプター１５０を固定収納部２１に収納する際、通信ケーブル１５３を固定収納部２１の外方に導くためには、位置決めサポート板２７を避けて、すなわち、ケーブル出口１５２が位置決めサポート板２７と対向しないような姿勢としなければならない。従って、組み立て時及びメンテナンス時、通信アダプター１５０を正しい向きで固定収納部２１に収納することが容易に行える。
【００７６】  本実施の形態によれば、通信ケーブル１５３に結束バンド１５４を取り付け、結束バンド１５４をバンド位置維持部２８に収納することにより、通信ケーブル１５３が室内機１の上下方向に変位することが防止されている。また、バンド位置維持部２８をカバー２２で覆うことにより、結束バンド１５４及び結束バンド１５４が取り付けられている通信ケーブル１５３の部分が、バンド位置維持部２８から外れることが防止される。従って、不用意に通信ケーブル１５３にテンションがかかったとしても、通信ケーブル１５３が電気品箱７０から引き出されて電気品箱７０に実装された制御基板との接続に不具合が生じることが抑えられる。
【００７７】  本実施の形態によれば、仮置き部１１０に通信アダプター１５０が仮置きされているとき、底面１５０Ａ及び底面１５０Ｂの一部が、第１リブ１１２の下方及び第２リブ１１３の谷部から露出している。従って、通信アダプター１５０の底面１５０Ａ及び底面１５０Ｂに指を掛けやすく、通信アダプター１５０を仮置き部１１０に着脱が容易に行える。
【００７８】  尚、本実施の形態では、仮置き部１１０及びケーブル固定部１２０を露飛び防止部材１００の前面に設けたがこれに限るものではない。仮置き部１１０及びケーブル固定部１２０を、露飛び防止部材１００とは別の部材として構成してもよい。
【００７９】  本実施の形態では、仮置き部１１０を第１リブ１１２、第２リブ１１３、及び第３リブ１１４で構成しているがこれに限るものでなはい。通信アダプター１５０を着脱容易に仮置きできる支持構造であればよい。
【００８０】  本実施の形態では、通信アダプター１５０の仮置き部１１０での仮置きを縦置きとし、固定収納部２１での固定を横置きとしたがこれに限るものではない。通信アダプター１５０を、横置きで仮置きをし、縦置きで固定するよう構成してもよい。また、仮置き及び固定の双方を横置きとしてもよく、あるいは、双方を縦置きとしてもよい。
【００８１】  また、本実施の形態では、通信アダプター１５０は、底面１５０Ａ及び底面１５０Ｂが室内機１の前後方向と平行に延びるよう配置されているがこれに限るものでない。底面１５０Ａ及び底面１５０Ｂが室内機１の横方向と平行に延びるよう、通信アダプター１５０を配置してもよい。
【００８２】  本実施の形態では、仮置き部１１０は、露飛び防止部材１００の前面に設けられており、室内機１の右端部側に配置されているがこれに限るものではない。室内機１の中央、若しくは左端部側に仮置き部１１０を配置してもよい。
【００８３】  本実施の形態では、仮置き部１１０を露飛び防止部材１００の前面に設け、前面筐体２０の開口部２０Ａから露出させ、カバー２２で覆う構成としているがこれに限るものではない。仮置き部１１０の配置位置、及びその周辺部材との相対的な位置関係によっては、仮置き部１１０を覆う部材を設けなくてもよい。
【符号の説明】
【００８４】  １  室内機、１Ａ  吸入口、１Ｂ  吹出口、１０  背面筐体、２０  前面筐体、２０Ａ  開口部、２０Ｂ  受部、２１  固定収納部、２１Ａ  上面、２１Ｂ  下面、２１Ｃ  側面、２１Ｄ  底面、２２  カバー、２２１  本体、２２２  フック形成部、２２２Ａ  フック、２２２Ｂ  フック、２２３  ネジ固定部、２２３Ａ  ネジ穴、２２４  ネジ、２３  支持部、２４  支持部、２５  支持部、２６  支持部、２７  位置決めサポート板、２８  バンド位置維持部、２８１  壁面、２８１Ａ  切欠き部、２８２  壁面、２８２Ａ  切欠き部、３０  正面意匠パネル、４０  吹出口構造体、４１  ドレンパン、４２  風路構成部材、５０  熱交換器、５１  伝熱管、５２  接続パイプ、６０  送風ファン、７０  電気品箱、８０  ファンモータ、８１  下ホルダー、８２  上ホルダー、９０  上下風向調整板、１００  露飛び防止部材、１０１  面、１１０  仮置き部、１１１  側壁部、１１２  第１リブ、１１２Ａ  横方向サポート部、１１２Ｂ  縦方向サポート部、１１３  第２リブ、１１３Ａ  横方向サポート部、１１３ＡＡ  第１山部、１１３ＡＢ  第２山部、１１３ＡＣ  第３山部、１１３ＡＤ  第１谷部、１１３ＡＥ  第２谷部、１１３Ｂ  縦方向サポート部、１１４  第３リブ、１２０  ケーブル固定部、１２１  第１ケーブル支持板、１２２  第２ケーブル支持板、１５０  通信アダプター、１５０Ａ  底面、１５０Ｂ  底面、１５０Ｃ  側面、１５０Ｄ  側面、１５０Ｅ  側面、１５２  ケーブル出口、１５３  通信ケーブル、１５４  結束バンド。
【図１】
2020157850.tif 000003
【図２】
2020157850.tif 000004
【図３】
2020157850.tif 000005
【図４】
2020157850.tif 000006
【図５】
2020157850.tif 000007
【図６】
2020157850.tif 000008
【図７】
2020157850.tif 000009
【図８】
2020157850.tif 000010
【図９】
2020157850.tif 000011
【図１０】
2020157850.tif 000012
【図１１】
2020157850.tif 000013
【図１２】
2020157850.tif 000014
【図１３】
2020157850.tif 000015
【図１４】
2020157850.tif 000016
【図１５】
2020157850.tif 000017
【図１６】
2020157850.tif 000018
【図１７】
2020157850.tif 000019
【図１８】
2020157850.tif 000020
【図１９】
2020157850.tif 000021
【図２０】
2020157850.tif 000022
【図２１】
2020157850.tif 000023
【図２２】
2020157850.tif 000024
【図２３】
2020157850.tif 000025
【図２４】
2020157850.tif 000026
【図２５】
2020157850.tif 000027
【手続補正書】
【提出日】令和3年2月1日(2021.2.1)
【手続補正１】
【補正対象書類名】明細書
【補正対象項目名】０００６
【補正方法】変更
【補正の内容】
【０００６】
本発明に係る空気調和機の室内機は、熱交換器と電気品箱が設けられる背面筐体と、前記熱交換器の前面側において、前記背面筐体に着脱可能に設けられる前面筐体と、前記前面筐体の前面側において、前記前面筐体に着脱可能に設けられる正面意匠パネルと、外部機器との通信を行うための通信アダプターが固定され、前記正面意匠パネルが取り外された状態において露出するよう設けられている固定収納部と、前記通信アダプターを仮置きするための仮置き部であって、前記固定収納部とは別の位置に設けられている仮置き部とを備えるものである。
【手続補正２】
【補正対象書類名】特許請求の範囲
【補正対象項目名】全文
【補正方法】変更
【補正の内容】
【特許請求の範囲】
【請求項１】
熱交換器と電気品箱が設けられる背面筐体と、
前記熱交換器の前面側において、前記背面筐体に着脱可能に設けられる前面筐体と、
前記前面筐体の前面側において、前記前面筐体に着脱可能に設けられる正面意匠パネルと、
外部機器との通信を行うための通信アダプターが固定され、前記正面意匠パネルが取り外された状態において露出するよう設けられている固定収納部と、
前記通信アダプターを仮置きするための仮置き部であって、前記固定収納部とは別の位置に設けられている仮置き部とを備える空気調和機の室内機。
【請求項２】
前記仮置き部は、前記熱交換器の前記電気品箱が設けられている側の端部と前記電気品箱との間に設けられ、前記前面筐体には、前記仮置き部に対面する位置に開口部が形成されている請求項１に記載の空気調和機の室内機。
【請求項３】
前記熱交換器の端部から露出している伝熱管に発生する水滴が前記室内機の前方側へ飛散することを防止する露飛び防止部材を備え、
前記露飛び防止部材は、前記熱交換器の前記電気品箱が設けられている側の端部と前記電気品箱との間に配置され、
前記仮置き部は、前記露飛び防止部材の前面に設けられている請求項２に記載の空気調和機の室内機。
【請求項４】
前記開口部を覆う取り外し可能なカバーを備えている請求項２又は３に記載の空気調和機の室内機。
【請求項５】
前記固定収納部は、前記前面筐体において、前記露飛び防止部材の上方に設けられている請求項３に記載の空気調和機の室内機。
【請求項６】
前記通信アダプターと、
前記通信アダプターに接続された通信ケーブルと、
前記前面筐体において、前記固定収納部に固定された前記通信アダプターと前記電気品箱との間の前記通信ケーブルの引き回しの経路上に設けられているバンド位置維持部とを備え、
前記通信アダプターから前記電気品箱へ引き回されている前記通信ケーブルにおいて結束バンドが取り付けられており、
前記通信アダプターが前記固定収納部に固定された状態で、前記結束バンドが前記バンド位置維持部に収納されており、
前記バンド位置維持部は箱状の凹部であり、前記室内機の上下方向で対向している一対の壁面を有し、前記結束バンドは前記一対の壁面により前記室内機の前記上下方向に変位することが防止されている請求項３〜５のいずれか一項に記載の空気調和機の室内機。
【国際調査報告】
2020157850.tif 000028
2020157850.tif 000029
2020157850.tif 000030
2020157850.tif 000031
2020157850.tif 000032
2020157850.tif 000033